(57)【要約】【課題】ネットワーク家電を使用していない時間帯の待機電力を削減することができるホームネットワークシステムおよびその制御方法を提供する。【解決手段】ホームサーバ１０は、ネットワーク家電２０の運転情報を記憶する家電情報メモリ部１２と、電源制御信号を発生する電源制御部１３と、ネットワーク家電２０の運転時間を含む所定時間帯だけ電源オンの電源制御信号と、所定時間帯の始めに運転情報とをネットワーク家電２０に送る制御部１１とを備える。ネットワーク家電２０は、電源制御信号により電力供給をするサブ電源部２４と、サブ電源部２４から電源供給を受け、運転情報を記憶する機器情報メモリ部２１と、電源のオン・オフをするメイン電源部２５と、サブ電源部２４から電源供給を受け、運転時間だけメイン電源部２５をオンにしてネットワーク家電２０を動作状態にする制御部２２とを備える。【選択図】  図１
2004355171.tif 000002
【特許請求の範囲】
【請求項１】
ホームサーバ（１０）とネットワーク家電（２０）とを組み合わせたホームネットワークシステムにおいて、
前記ホームサーバ（１０）は、
前記ネットワーク家電（２０）の運転情報を記憶する家電情報メモリ部（１２）と、
電源制御信号を発生する電源制御部（１３）と、
前記家電情報メモリ部（１２）の運転情報を基にして、前記ネットワーク家電（２０）の運転開始から運転終了までの運転時間を含む所定時間帯だけ、前記電源制御部（１３）を制御して電源オンの電源制御信号を前記ネットワーク家電（２０）に送り、この所定時間帯の始めに前記家電情報メモリ部（１２）を制御して、運転情報を前記ネットワーク家電（２０）に送る制御部（１１）とを備え、
前記ネットワーク家電（２０）は、
前記電源制御部（１３）からの電源制御信号によりオン・オフ制御され、この制御によって電力供給をするサブ電源部（２４）と、
前記サブ電源部（２４）から電源供給を受け、前記家電情報メモリ部（１２）からの運転情報を記憶する機器情報メモリ部（２１）と、
前記ネットワーク家電（２０）の電源のオン・オフをするメイン電源部（２５）と、
前記サブ電源部（２４）から電源供給を受け、前記機器情報メモリ部（２１）の運転情報を基にして運転時間だけ、前記メイン電源部（２５）をオンにしてネットワーク家電（２０）を動作状態にする制御部（２２）とを備えることを特徴とするホームネットワークシステム。
【請求項２】
ホームサーバ（１０）とネットワーク家電（２０）とを組み合わせたホームネットワークシステムにおいて、
前記ホームサーバ（１０）と前記ネットワーク家電（２０）とを接続する第１および第２の接続手段を備え、
前記ホームサーバ（１０）は、
前記第１の接続手段に接続され、前記ネットワーク家電（２０）の運転情報を記憶する家電情報メモリ部（１２）と、
前記第２の接続手段に接続され、電源制御信号を発生する電源制御部（１３）と、
前記家電情報メモリ部（１２）の運転情報を基にして前記ネットワーク家電（２０）の動作時間前と判別すると、電源オンの電源制御信号を前記電源制御部（１３）から前記第２の接続手段に送信する制御と、この後で運転情報を前記家電情報メモリ部（１２）から前記第１の接続手段に送信する制御と、運転情報を基にしてネットワーク家電（２０）の動作終了時間と判別すると、電源オフの電源制御信号を前記電源制御部（１３）から前記第２の接続手段へ送信する制御とを行う制御部（１１）とを備え、
前記ネットワーク家電（２０）は、
前記第２の接続手段からの電源制御信号によりオン・オフ制御され、この制御によって電力供給をするサブ電源部（２４）と、
前記サブ電源部（２４）から電源供給を受け、前記第１の接続手段からの運転情報を記憶する機器情報メモリ部（２１）と、
家電本来の機能を果たす動作部と、
前記動作部の電源のオン・オフをするメイン電源部（２５）と、
前記サブ電源部（２４）から電源供給を受け、前記機器情報メモリ部（２１）の運転情報を基にして前記メイン電源部（２５）のオン・オフをする制御を行う制御部（２２）とを備えることを特徴とするホームネットワークシステム。
【請求項３】
前記サブ電源部（２４）は、前記電源制御部（１３）からの電源制御信号によりオン・オフをするスイッチを備え、このスイッチによって電力供給を制御することを特徴とする請求項１または２に記載のホームネットワークシステム。
【請求項４】
前記第１の接続手段と前記第２の接続手段とはケーブル（３１、３２）であることを特徴とする請求項２または３に記載のホームネットワークシステム。
【請求項５】
請求項２に記載のホームネットワークシステムの制御方法において、
家電情報メモリ部（１２）に記憶されたネットワーク家電（２０）の運転情報により、ネットワーク家電（２０）が動作する前に、電源制御部（１３）からネットワーク家電（２０）のサブ電源部（２４）へ電源制御信号を送信して前記ネットワーク家電（２０）のサブ電源部（２４）をオンにし、
前記サブ電源部（２４）のオン後に家電情報メモリ部（１２）の該ネットワーク家電（２０）の運転情報を該ネットワーク家電（２０）の機器情報メモリ部（２１）へ送信し、
前記ネットワーク家電（２０）の運転情報により、該ネットワーク家電（２０）の動作終了と判別すると、前記ホームサーバ（１０）の電源制御部（１３）からネットワーク家電（２０）のサブ電源部（２４）へ電源制御信号を送信して、前記ネットワーク家電（２０）のサブ電源部（２４）をオフにすることを特徴とするホームネットワークシステムの制御方法。
【発明の詳細な説明】
【０００１】
【発明の属する技術分野】
本発明は、家庭に設置されるホームサーバとネットワーク家電とを組み合わせたホームネットワークシステムおよびその制御方法に関し、特に、ネットワーク家電の電源制御をするホームネットワークシステムおよびその制御方法に関する。
【０００２】
【従来の技術】
近年、冷蔵庫、エアコン、ビデオ、テレビなどの家電製品に通信機能を具備しているネットワーク家電は、ホームサーバと組み合わせることにより、外出先などの遠隔地からでも制御できるようになっている。このようにホームサーバとネットワーク家電とを組み合わせたホームネットワークシステムは文献１（特開平１０−２７６４７８号公報）に記載されている。このホームネットワークシステムは図４に見られるようなシステムとなっている。図４のホームネットワークシステムは、インターネット１００に接続されているホームサーバ２１０と、ホームサーバ２１０によって制御されるネットワーク家電２２０とを備えている。
【０００３】
ホームサーバ２１０は、ＣＰＵ２１１と家電情報メモリ部２１２とを備えていいる。ホームサーバ２１０には、リモコン送受信部２１３が接続されている。ネットワーク家電２２０は、機器情報メモリ部２２１と制御部２２２と動作部２２３とスイッチ部２２４とを備えている。ネットワーク家電２２０には、リモコン送受信部２２５が接続されている。
【０００４】
図４のホームネットワークシステムでは、ホームサーバ２１０とネットワーク家電２２０との間の信号の送受信は、リモコン送受信部２１３、２２５を介して行われている。遠隔地からネットワーク家電２２０を操作するには、ホームサーバ２１０のＣＰＵ２１１の制御により行われる。つまり、ＣＰＵ２１１は、家電情報メモリ部２１２の運転信号をリモコン送受信部２１３に送る。リモコン送受信部２１３は、運転信号をネットワーク家電２２０のリモコン送受信部２２５に送信する。運転信号は、ネットワーク家電２２０を動かすための運転情報であり、インターネット１００を通して家電情報メモリ部２１２に保存される。
【０００５】
ネットワーク家電２２０のリモコン送受信部２２５は、運転信号を受信すると、この運転信号を機器情報メモリ部２２１に送る。運転信号の受信後、制御部２２２は次の制御を行う。つまり、制御部２２２は、スイッチ部２２４のリレー２２４Ａをオンにする。スイッチ部２２４には、電源ケーブル２３０が接続されているので、リレー２２４Ａのオンにより、電力が動作部２２３に供給され、動作部２２３が動作を開始する。動作部２２３は、ネットワーク家電２２０の本来の機能を行う。
【０００６】
制御部２２２は、運転信号通りの動作終了後に、スイッチ部２２４のリレー２２４Ａをオフにする。これによって、動作部２２３の動作が終了する。
【０００７】
このようにして、ネットワーク家電２２０はホームサーバ２１０からの信号に従って、所望の機能を自在に達成することができる。
【０００８】
【発明が解決しようとする課題】
ところで、先に述べたホームネットワークシステムには次のような課題がある。つまり、ネットワーク家電２２０は、ホームサーバ２１０から信号がいつ来てもこの信号に応じるように、常時、機器情報メモリ部２２１、制御部２２２、リモコン送受信部２２５へ電力を供給しておく必要がある。このために、図５に示すように、ネットワーク家電２２０の運転時間である時間Ｔ１０１〜Ｔ１０２以外の時間帯でも、つまり、ネットワーク家電２２０を使用していなくても、ネットワーク家電２２０は電力を消費することになる。これが待機電力の発生する原因である。
【０００９】
このように、待機電力がネットワーク家電ごとに存在するため、ネットワーク家電の設置台数が増えるほど、待機電力による電力消費量は増加するという問題が発生する。
【００１０】
本発明は、前記の課題を解決し、ネットワーク家電を使用していない時間帯の、ネットワーク家電の待機電力を削減することができるホームネットワークシステムおよびその制御方法を提供することにある。
【００１１】
【課題を解決するための手段】
前記課題を解決するために、請求項１の発明は次のとおりである。ホームサーバとネットワーク家電とを組み合わせたホームネットワークシステムにおいて、前記ホームサーバは、前記ネットワーク家電の運転情報を記憶する家電情報メモリ部と、電源制御信号を発生する電源制御部と、前記家電情報メモリ部の運転情報を基にして、前記ネットワーク家電の運転開始から運転終了までの運転時間を含む所定時間帯だけ、前記電源制御部を制御して電源オンの電源制御信号を前記ネットワーク家電に送り、この所定時間帯の始めに前記家電情報メモリ部を制御して、運転情報を前記ネットワーク家電に送る制御部とを備え、前記ネットワーク家電は、前記電源制御部からの電源制御信号によりオン・オフ制御され、この制御によって電力供給をするサブ電源部と、前記サブ電源部から電源供給を受け、前記家電情報メモリ部からの運転情報を記憶する機器情報メモリ部と、
前記ネットワーク家電の電源のオン・オフをするメイン電源部と、前記サブ電源部から電源供給を受け、前記機器情報メモリ部の運転情報を基にして運転時間だけ、前記メイン電源部をオンにしてネットワーク家電を動作状態にする制御部とを備えることを特徴とするホームネットワークシステムである。
請求項２の発明は次のとおりである。ホームサーバとネットワーク家電とを組み合わせたホームネットワークシステムにおいて、前記ホームサーバと前記ネットワーク家電とを接続する第１および第２の接続手段を備え、前記ホームサーバは、前記第１の接続手段に接続され、前記ネットワーク家電の運転情報を記憶する家電情報メモリ部と、前記第２の接続手段に接続され、電源制御信号を発生する電源制御部と、前記家電情報メモリ部の運転情報を基にして前記ネットワーク家電の動作時間前と判別すると、電源オンの電源制御信号を前記電源制御部から前記第２の接続手段に送信する制御と、この後で運転情報を前記家電情報メモリ部から前記第１の接続手段に送信する制御と、運転情報を基にしてネットワーク家電の動作終了時間と判別すると、電源オフの電源制御信号を前記電源制御部から前記第２の接続手段へ送信する制御とを行う制御部とを備え、前記ネットワーク家電は、前記第２の接続手段からの電源制御信号によりオン・オフ制御され、この制御によって電力供給をするサブ電源部と、前記サブ電源部から電源供給を受け、前記第１の接続手段からの運転情報を記憶する機器情報メモリ部と、家電本来の機能を果たす動作部と、前記動作部の電源のオン・オフをするメイン電源部と、前記サブ電源部から電源供給を受け、前記機器情報メモリ部の運転情報を基にして前記メイン電源部のオン・オフをする制御を行う制御部とを備えることを特徴とするホームネットワークシステムである。
請求項３の発明は、請求項１または２に記載のホームネットワークシステムにおいて、前記サブ電源部は、前記電源制御部からの電源制御信号によりオン・オフをするスイッチを備え、このスイッチによって電力供給を制御することを特徴とする。
請求項４の発明は、請求項２または３に記載のホームネットワークシステムにおいて、前記第１の接続手段と前記第２の接続手段とはケーブルであることを特徴とする。
請求項５の発明は、請求項２に記載のホームネットワークシステムの制御方法において、家電情報メモリ部に記憶されたネットワーク家電の運転情報により、ネットワーク家電が動作する前に、電源制御部からネットワーク家電のサブ電源部へ電源制御信号を送信して前記ネットワーク家電のサブ電源部をオンにし、前記サブ電源部のオン後に家電情報メモリ部の該ネットワーク家電の運転情報を該ネットワーク家電の機器情報メモリ部へ送信し、前記ネットワーク家電の運転情報により、該ネットワーク家電の動作終了と判別すると、前記ホームサーバの電源制御部からネットワーク家電のサブ電源部へ電源制御信号を送信して、前記ネットワーク家電のサブ電源部をオフにすることを特徴とするホームネットワークシステムの制御方法である。
【００１２】
【発明の実施の形態】
つぎに、本発明の実施の形態について、図面を参照して詳しく説明する。
［実施の形態１］
本実施の形態によるホームネットワークシステムを図１に示す。図１のホームネットワークシステムは、ホームサーバ１０とネットワーク家電２０と第１のケーブル３１と第２のケーブル３２とを備えている。本実施の形態では、ネットワーク家電２０がビデオである場合を例として説明する。
【００１３】
ホームサーバ１０は、インターネット１００に接続されている。ホームサーバ１０はＣＰＵ１１と家電情報メモリ部１２と電源制御部１３とリモコン受信部１４とを備えている。
【００１４】
リモコン受信部１４は、リモコン（図示を省略）からの信号を光や電波により受信する。
【００１５】
家電情報メモリ部１２は、第１のケーブル３１によってネットワーク家電２０の後述する機器情報メモリ部２１に接続されている。家電情報メモリ部１２は、ＣＰＵ１１の制御によって、リモコン受信部１４が受信した運転信号や、インターネット１００からの運転信号を保存する。本実施の形態では、ネットワーク家電２０がビデオであるので、これらの運転信号は録画予約信号である。家電情報メモリ部１２は、ＣＰＵ１１の制御によって、保存している録画予約信号を第１のケーブル３１を介して機器情報メモリ部２１に送る。
【００１６】
家電情報メモリ部１２に接続されている残り２本の第１のケーブル３１は、別のネットワーク家電にそれぞれ接続されている。
【００１７】
電源制御部１３は、３個のスイッチ１３Ａを備えている。スイッチ１３Ａは、第２のケーブル３２によってネットワーク家電２０の後述するサブ電源部２４に接続されている。電源制御部１３は、ＣＰＵ１１の制御によって、サブ電源部２４をオンまたはオフにする電源制御信号を第２のケーブル３２に加える。本実施の形態では、電源制御信号はネットワーク家電２０のサブ電源部２４を動作させるための駆動電力である。つまり、サブ電源部２４をオンにする電源制御信号は駆動電力の供給であり、オフにする電源制御信号は駆動電力の停止である。電源制御部１３の残りのスイッチ１３Ａは、第２のケーブル３２を介して別のネットワーク家電にそれぞれ接続されている。
【００１８】
ＣＰＵ１１は、ホームサーバ１０のための各種の制御を行う。これらの制御には次のものがある。つまり、ネットワーク家電２０が設置された際に、インターネット１００やリモコン受信部１４から送られてきた信号がどのネットワーク家電に対するものなのか、また、その信号がどのような運転制御信号かを判別するために、設置されたネットワーク家電２０の情報をインストールして家電情報メモリ部１２に保存する。
【００１９】
ＣＰＵ１１は、録画予約信号を受信すると、その信号を家電情報メモリ部１２に保存する。ＣＰＵ１１は、保存した段階でその信号がビデオに対する信号であり、かつ録画予約信号であることを判別する。
【００２０】
ＣＰＵ１１は、家電情報メモリ部１２に保存した録画予約信号の録画開始時間の少し前、例えば数分前に、電源制御部１３を制御して電源制御を行う。つまり、ＣＰＵ１１は、第２のケーブル３２を通して、オンの電源制御信号をネットワーク家電２０のサブ電源部２４に送る。この後、例えば数十秒後に、ＣＰＵ１１は、家電情報メモリ部１２を制御して、家電情報メモリ部１２に保存してある録画予約信号を、第１のケーブル３１を通して機器情報メモリ部２１に送る。
【００２１】
ＣＰＵ１１は、家電情報メモリ部１２に保存していた録画予約信号から、録画終了時間を認識し、その終了時間の数秒後、例えば５秒後に、電源制御部１３のスイッチ１３Ａをオフにする制御を行う。これによって、ＣＰＵ１１は、ネットワーク家電２０のサブ電源部２４に、オフの電源制御信号を送る。
【００２２】
ホームサーバ１０は以上の構成である。つぎに、ネットワーク家電２０の構成について説明する。ネットワーク家電２０は、機器情報メモリ部２１と制御部２２と動作部２３とサブ電源部２４とメイン電源部２５とを備えている。
【００２３】
機器情報メモリ部２１は、サブ電源部２４からの電力によって待機状態になる。この状態のときに、第１のケーブル３１を通して録画予約信号を受信すると、機器情報メモリ部２１はこの信号を保持する。動作部２３は、メイン電源部２５からの電力によって動き、録画を含むビデオの各種動作、つまり、ビデオとしての本来の動作を行う。
【００２４】
サブ電源部２４は、内部にリレー２４Ａを備えている。サブ電源部２４は、ホームサーバ１０の電源制御部１３からの、オンの電源制御信号によってリレー２４Ａをオンにする。リレー２４Ａのオンによって、サブ電源部２４は、電源ケーブル２３０からの電力を機器情報メモリ部２１と制御部２２とに供給する。
【００２５】
メイン電源部２５は、内部にリレー２５Ａを備えている。メイン電源部２５は、制御部２２の制御によってリレー２５Ａをオンにする。リレー２５Ａのオンによって、メイン電源部２５は、電源ケーブル２３０からの電力を動作部２３に供給する。
【００２６】
制御部２２は、ネットワーク家電２０のための各種の制御を行う。これらの制御には次のものを含む。制御部２２は、サブ電源部２４からの電力によって、待機状態になる。この状態のときに、制御部２２は、機器情報メモリ部２１に保存された録画予約信号を参照し、録画開始時間に合わせ、メイン電源部２５をオンにする制御を行う。つまり、制御部２２は、録画予約信号から録画開始時間を判別して制御を行う。
【００２７】
制御部２２は、メイン電源部２５のオンの後、機器情報メモリ部２１の録画予約信号を参照し、録画終了時間になるとメイン電源部２５をオフにする制御を行う。つまり、制御部２２は、録画予約信号から録画終了時間を判別して制御を行う。
【００２８】
以上がネットワーク家電２０の構成である。つぎに、第１のケーブル３１と第２のケーブル３２とについて説明する。第１のケーブル３１は、第１の接続手段であり、ホームサーバ１０の家電情報メモリ部１２と、ネットワーク家電２０の機器情報メモリ部２１とを接続する。第２のケーブル３２は、第２の接続手段であり、ホームサーバ１０の電源制御部１３のスイッチ１３Ａと、ネットワーク家電２０のサブ電源部２４とを接続する。本実施の形態では、第１のケーブル３１と第２のケーブル３２とを３本備えているので、３台のネットワーク家電が接続可能である。第１のケーブル３１と第２のケーブル３２とは、例えば１００ＢＡＳＥ−ＴＸのように、１本の線の中に細いケーブルを多数持つ構造のケーブルを用いることにより、１本にまとめてもよい。
【００２９】
つぎに、本実施の形態によるホームネットワークシステムの動作について説明する。ネットワーク家電２０をホームサーバ１０で制御するために、ネットワーク家電２０を制御対象としてホームサーバ１０に設定する。設定後、インターネット１００やリモコンから送られてきた信号が、どのネットワーク家電に対するものなのか、およびその信号がどのような運転制御信号かを判別するため、ホームサーバ１０へネットワーク家電２０の情報をインストールする。
【００３０】
この後、例えば外出先から遠隔でネットワーク家電２０つまりビデオを操作する場合、インターネット１００を通じて録画予約信号を送信すると、最初にホームサーバ１０が録画予約信号を受信し、図２に示すように、ＣＰＵ１１はその信号を家電情報メモリ部１２に保存する（時間Ｔ１）。保存した段階で、ＣＰＵ１１は、その信号が、ビデオに対する信号で、かつ録画予約信号であることを判別する。
【００３１】
この後、ホームサーバ１０の家電情報メモリ部１２に保存した録画予約信号の録画開始時間の少し前に、例えば数分前に、ＣＰＵ１１は、電源制御部１３に対して電源制御を行う（時間Ｔ２）。これによって、第２のケーブル３２を通じ、ビデオ（ネットワーク家電２０）のサブ電源部２４に、オンの電源制御信号を送る。この信号により、ネットワーク家電２０のサブ電源部２４はオンになる。
【００３２】
オンの電源制御信号によって、サブ電源部２４は電源ケーブル２３０からの電力を機器情報メモリ部２１と制御部２２とに供給する。つまり、オンの電源制御信号によって、ネットワーク家電２０のサブ電源部２４と機器情報メモリ部２１と制御部２２とによる消費電力が発生する。この電力量は従来の待機電力に相当する。
【００３３】
ビデオ（ネットワーク家電２０）のサブ電源部２４がオンになった後、例えば数十秒後に、ホームサーバ１０のＣＰＵ１１は、家電情報メモリ部１２に保存していた録画予約信号を、第１のケーブル３１を通じ、ビデオ（ネットワーク家電２０）の機器情報メモリ部２１へ送信する制御を行う（時間Ｔ３）。機器情報メモリ部２１はその録画予約信号を保存する。
【００３４】
ビデオ（ネットワーク家電２０）の制御部２２は、機器情報メモリ部２１に保存された録画予約信号を参照し、録画開始時間に合わせ、メイン電源部２５をオンにし、動作部２３を起動する。これによって、録画が開始される（時間Ｔ４）。
【００３５】
録画の終了後、ビデオ（ネットワーク家電２０）の制御部２２は動作部２３を停止させ、メイン電源部２５をオフにする制御を行う（時間Ｔ５）。つぎに、ホームサーバ１０のＣＰＵ１１は、家電情報メモリ部１２に保存していた録画予約信号から録画終了時間を認識し、その終了時間の数秒後、例えば５秒後に電源制御部１３を制御して、オフの電源制御信号を、第２のケーブル３２を通してビデオ（ネットワーク家電２０）のサブ電源部２４に送信する。この電源制御信号によりサブ電源部２４はオフになる（時間Ｔ６）。この段階で、サブ電源部２４等での消費電力がなくなり、ビデオ（ネットワーク家電２０）の待機電力は発生しない。本実施の形態では、時間Ｔ４から時間Ｔ５までの間が、ネットワーク家電２０の運転時間である。
【００３６】
ところで、家の中で人がリモコンにて録画予約する場合、リモコンによる信号は、ホームサーバ１０のリモコン受信部１４にて受信され、家電情報メモリ部１２に保存される。その後は、前述したように、インターネット１００を用いて外出先から遠隔でビデオを操作する場合と同じ制御を行う。また、録画予約信号が複数ある場合、ホームサーバ１０が全ての録画予約時間を認識し、録画予約時間の都度、インターネット１００を用いて外出先から遠隔でビデオを操作する場合と同じ制御を行う。
【００３７】
こうして、本実施の形態により、ネットワーク家電２０が運転していない時間帯に消費している、ネットワーク家電２０の待機電力を削減することを実現することができる。
【００３８】
［実施の形態２］
本実施の形態では、実施の形態１の第１のケーブル３１を用いた信号の送受信の代わりに、無線により信号を送受信する。このために、本実施の形態によるホームネットワークシステムは図３に示す構成である。なお、先に説明した図１と同一もしくは同一と見なされる構成要素には、それと同じ参照符号を付けてその説明を省略する。本実施の形態では、ホームサーバ１０の家電情報メモリ部１２と、ネットワーク家電２０の機器情報メモリ部２１とは、送受信部３３、３４によって信号の送受信をする。送受信部３３、３４は、電波や赤外線などを用いて信号の送受信をする。また、３台分の信号を送受信するために、例えば送受信部３３、３４の搬送波の周波数などを変えている。
【００３９】
本実施の形態は、実施の形態１と同じような制御によって、ネットワーク家電２０の待機電力を削減することを実現することができる。
【００４０】
以上、本発明の実施の形態１、２を詳述してきたが、具体的な構成はこれらの実施の形態に限られるものではなく、本発明の要旨を逸脱しない範囲の設計の変更等があっても、本発明に含まれる。たとえば、実施の形態１、２では、ネットワーク家電が３台接続できる形となっているが、これより多くても少なくてもどちらでもよい。
【００４１】
【発明の効果】
以上、説明したように、本発明によれば、ネットワーク家電の制御部および機器情報メモリ部の電力を、必要な時のみホームサーバから通電状態とする制御を行うことにより、ネットワーク家電を使用していない時間帯の、ネットワーク家電の待機電力を削減することができる。つまり、本発明によれば、ネットワーク家電を使用していない時間帯は、ネットワーク家電へ電源供給が行われないため、ネットワーク家電の待機電力を削減することができる。
【図面の簡単な説明】
【図１】本発明の実施の形態１によるホームネットワークシステムを示すブロック図である。
【図２】図１のネットワーク家電の電源制御を行った場合の、ネットワーク家電の消費電力を示すタイムチャートである。
【図３】本発明の実施の形態２によるホームネットワークシステムを示すブロック図である。
【図４】従来のホームネットワークシステムを示すブロック図である。
【図５】図４のネットワーク家電の電源制御を行った場合の、ネットワーク家電の消費電力を示すタイムチャートである。
【符号の説明】
１０  ホームサーバ
１１  ＣＰＵ
１２  家電情報メモリ部
１３  電源制御部
１３Ａ  スイッチ
１４  リモコン受信部
２０  ネットワーク家電
２１  機器情報メモリ部
２２  制御部
２３  動作部
２４  サブ電源部
２４Ａ  リレー
２５  メイン電源部
２５Ａ  リレー
３１  第１のケーブル
３２  第２のケーブル
３３、３４  送受信部
【図１】
2004355171.tif 000003
【図２】
2004355171.tif 000004
【図３】
2004355171.tif 000005
【図４】
2004355171.tif 000006
【図５】
2004355171.tif 000007